(57)【要約】【課題】  小動物の糞、抜け毛、餌等の不要物を確実に不要物受けトレー内に落下させ、衛生的で、清掃が極めて容易である小動物用飼育ケースを提供することを目的とする。【解決手段】  周壁４を有し上方開口状とされた下部受け台１と、下部受け台１の上に配設される下方開口状の小動物収容体２と、下部受け台１に引き出し可能に収納される上方開口状の不要物受けトレー３と、を備える。周壁４の内面の高さ方向途中部に内鍔部５が周壁４に沿って突設される。不要物受けトレー３の開口上端縁が平面視において内鍔部５にて隠されている。【選択図】    図１
2005295960.tif 000002
【特許請求の範囲】
【請求項１】
周壁（４）を有し上方開口状とされた下部受け台（１）と、該下部受け台（１）の上に配設される下方開口状の小動物収容体（２）と、該下部受け台（１）に引き出し可能に収納される上方開口状の不要物受けトレー（３）と、を備え、上記周壁（４）の内面の高さ方向途中部に内鍔部（５）が該周壁（４）に沿って突設され、上記不要物受けトレー（３）の開口上端縁（６）が平面視において上記内鍔部（５）にて隠されていることを特徴とする小動物用飼育ケース。
【請求項２】
上記下方開口状の小動物収容体（２）の開口下端縁（11）は、上記内鍔部（５）の上面に載置され保持される請求項１記載の小動物用飼育ケース。
【請求項３】
上記内鍔部（５）の上面は、内方へ向かって下傾する傾斜面（７）とされている請求項１又は２記載の小動物用飼育ケース。
【請求項４】
上記内鍔部（５）の上面には、網状の床板（８）が載置されている請求項１，２又は３記載の小動物用飼育ケース。
【請求項５】
上記下部受け台（１）の底部左右両側には、上記不要物受けトレー（３）の下面の左右両縁部（９ａ）（９ｂ）を下方から受けるガイド板（10ａ）（10ｂ）が設けられ、該下部受け台（１）は、左右方向の中間領域において底壁を省略した下方開口状とされている請求項１，２，３又は４記載の小動物用飼育ケース。
【発明の詳細な説明】
【技術分野】
【０００１】
本発明は、ウサギ、フェレット等の小動物用の飼育ケースに関するものである。
【背景技術】
【０００２】
ウサギ、フェレット等の小動物用の飼育ケースは、上方開口状の下部受け台と、下方開口状の上部ケージ（小動物収容体）と、下部受け台において引き出し可能に収納される不要物受けトレー（引き出し皿）と、を備えている。
従来のこのような飼育ケースは、図７に示すように、下部受け台41の開口上縁部付近に形成した段付き部42に上部ケージ43を載置させ、下部受け台41の底部側に、小動物が食べ残した（散らかした）餌等の不要物を受けるための不要物受けトレー44が配設されている（例えば、特許文献１参照）。
さらに、図示省略するが、網状の床板が、下部受け台41の第１の段付き部42の下方かつ不要物受けトレー44の上方の中間高さ部に設けた第２の段付き部に載置されている。
【特許文献１】特開平８−１５４５２１号公報
【発明の開示】
【発明が解決しようとする課題】
【０００３】
従来の飼育ケースは、不要物受けトレー44を引き出し可能とさせるために、不要物受けトレー44は、下部受け台41の周壁内面45と隙間を持って、下部受け台41内に配設されている。従って、小動物が排泄する糞、抜け毛、食べ残しの餌等の不要物47が、この隙間から下部受け台41の底面46にも落下してしまい、飼育ケース清掃の際に不要物受けトレー44を引き出して、下部受け台41の底面46の清掃が必要で手間がかかり、また、不衛生であるという問題点を有する。
また、下部受け台41の構造が２段の段付き状となって複雑であり、外観において好ましいものではないという問題点を有する。
【課題を解決するための手段】
【０００４】
本発明に係る小動物用飼育ケースは、周壁を有し上方開口状とされた下部受け台と、下部受け台の上に配設される下方開口状の小動物収容体と、下部受け台に引き出し可能に収納される上方開口状の不要物受けトレーと、を備え、上記周壁の内面の高さ方向途中部に内鍔部が該周壁に沿って突設され、上記不要物受けトレーの開口上端縁が平面視において上記内鍔部にて隠されているものである。
また、上記下方開口状の小動物収容体の開口下端縁は、上記内鍔部の上面に載置され保持されるものである。また、上記内鍔部の上面は、内方へ向かって下傾する傾斜面とされている。また、上記内鍔部の上面には、網状の床板が載置されている。
また、上記下部受け台の底部左右両側には、上記不要物受けトレーの下面の左右両縁部を下方から受けるガイド板が設けられ、該下部受け台は、左右方向の中間領域において底壁を省略した下方開口状とされている。
【発明の効果】
【０００５】
本発明の小動物用飼育ケースによれば、小動物の糞、抜け毛、餌等の不要物を、確実に不要物受けトレー内に落下させることができ、不要物受けトレーを引き出せば、清掃が極めて容易である。つまり、不要物を受けトレーの外へ落下させることが決してなく、必ず受けトレーに集めることができる。
構造が簡単であり、小動物収容体の開口下端縁が、内鍔部に載置され外方から周壁にて隠され、また、周壁の外周面がきれいな鉛直状平滑面とできるため、外観がすっきりした良好なものとできる。
【発明を実施するための最良の形態】
【０００６】
図１は、本発明に係る小動物用飼育ケースの実施の一形態を示す斜視図であり、例えば、ウサギやフェレット等の小動物を収容して飼育を行うことができる。この飼育ケースは、周壁４を有し上方開口状とされた下部受け台（下部ベース）１と、下部受け台１の上に配設される下方開口状の小動物収容体２と、下部受け台１に引き出し可能に収納される上方開口状の不要物受けトレー３と、を備えている。
【０００７】
なお、図１では、内方（内部）の説明を容易とさせるために、小動物収容体２の外形輪郭形状のみを実線にて示しているが、実際は、例えば図６に示すような側壁と側壁に形成した窓部とを有する上部ケースにて構成されるものや、図示省略するが、上面と側周面が網状（格子状）とされた下方開口状の籠（ケージ）としてもよい。
【０００８】
図２は不要物受けトレー３を引き出して取り除いた状態を示す。下部受け台１は、例えばプラスチック製であり、周状に形成された鉛直壁状の周壁（側周壁）４を有する。周壁４は、板状の、前壁部12、後壁部13、左右側壁部14，15を有し、上方に開口部17が形成され、また、後述するが下方も開口し（ガイド板10ａ，10ｂが付設されるが）短筒状────短角筒状────となる。
【０００９】
さらに、周壁４のうちの一部（前壁部12の下部）には、切欠き状又は開口孔にて成る不要物受けトレー３挿し入れ用の窓部16が形成されている。
なお、不要物受けトレー３の引き出し方向（矢印Ａ方向）が前後方向とされ、その直交方向が左右方向とされ、トレー３が引き出される側が前方である。
【００１０】
下部受け台１の外形状は、図１のように短角筒状以外にも、短円筒状（図示省略）であってもよい。さらに、短角筒状とする場合には、角部にアール形状部を設けたり、前壁部12、後壁部13、左右側壁部14，15を、又はこれらの一部を、曲面状としてもよい。また、図１の一点鎖線にて示すように、左右側壁部14，15を後部が前部よりも背の高い（段付き）形状とし、後壁部13が前壁部12よりも高くされた筒状のものであってもよい。
【００１１】
小動物収容体２は、その下部が、下部受け台１の開口部17の内周形状（内法形状）よりも僅かに小さい外周形状（輪郭形状）とされ、下部受け台１に挿し込み状となって下部受け台１の内面に形成した内鍔部５に載置され下部受け台１に保持される。これにより、小動物収容体２を下部受け台１に安定して保持させることができる。
図６に示した小動物収容体２は、前後左右に開口窓部18を有する周壁部19と、周壁部19を上方から施蓋しかつ開閉自在な小蓋を有する上壁部20とを備える。開口窓部18には、前後では柵（網）が設けられ、側方に透明板が設けられる。
なお、小動物収容体２は、籠やケース以外であってもよい。
【００１２】
不要物受けトレー３は、例えばプラスチック製であり、底壁部22と低周壁部21とを有する浅皿部材とされる。低周壁部21は、下部受け台１の下部の内周形状（内法形状）よりも僅かに小さい外周形状（輪郭形状）とされ、不要物受けトレー３は水平方向前方へのスライドにより出し入れ自在とされている。不要物受けトレー３は、下部受け台１に収納状態で、不要物受けトレー３の引き出し前面が下部受け台１の周壁４外面（前壁部12）と面一状となる。
【００１３】
図３は、不要物受けトレー３が収納された状態にある下部受け台１の平面図であり、図４は、飼育ケースの要部断面図である。この飼育ケースは、周壁４の内面の高さ方向途中部に内鍔部５が周壁４に沿って（周状に）突設されている。そして、不要物受けトレー３の開口上端縁６が平面視（図３）において内鍔部５にて隠されている。
【００１４】
つまり、内鍔部５の内周形状は、不要物受けトレー３の開口上端縁６の内周形状よりも小さい。具体的には、図３において、下部受け台１の周状の内鍔部５のうち中心部を挟んで対向する部分の内寸法Ｂは、その部分に対応する不要物受けトレー３の低周壁部21の内寸法Ｄよりも小さく設定されている。左右方向ではＢ1 ＜Ｄ1 とされ、前後方向ではＢ2 ＜Ｄ2 とされている。
【００１５】
周壁４は一体ものとして形成され、さらに内鍔部５は周壁４と一体成形される。また、内鍔部５は連続する一つの環状とされ、かつ、同一水平面上に形成されている。つまり、周壁４の前壁部12、後壁部13、左右側壁部14，15の４方の内面（内方４面）の同じ高さ位置に、連続して水平方向に突出する内鍔部５が形成されている。
また、図４に示すように、内鍔部５の内方端部は下方へＬ字形状に折れ曲がって下方突出する突出部23が形成され、斜め方向から内鍔部５と不要物受けトレー３との間への不要物の侵入を防止している。
さらに、図４と図５の一点鎖線に示すように、突出部23は、不要物受けトレー３の低周壁部21の上縁部を内方からラップする（覆う）よう下方へ突出させるのが一層好ましい。つまり、突出部23の下端が、低周壁部21の上端よりも低い位置となるようしている。これにより、斜め方向からの不要物の侵入を確実に防止できる。なお、この場合図示省略するが、不要物受けトレー３の低周壁部21のうち奥壁の上端に、不要物受けトレー３を引き出し可能とさせるため（突出部23との干渉を防ぐため）切欠を形成している。
図５は、内鍔部５の他の実施の形態を示す断面図であり、内鍔部５の上面を、内方へ向かって下傾する傾斜面（勾配面）７としてもよい。
【００１６】
周壁４において内鍔部５を配設する高さ方向の位置は任意であるが、不要物受けトレー３のすぐ上方の近傍位置が好ましく、内鍔部５の下面と不要物受けトレー３の開口上端縁６とを接近した状態とし、斜め方向からの不要物の侵入を防止することができる。
また、図４と図５のように、内鍔部５の周壁４の内面からの水平方向突出寸法ｅは、（少なくとも）不要物受けトレー３の開口上端縁６の厚さ寸法────不要物受けトレー３の低周壁部21の厚さ寸法────よりも充分に大きく、また、小動物収容体２の開口下端縁11及び床板８の周縁部が載置可能となるだけの小寸法とされている。
具体的な水平方向突出寸法ｅとしては、８mm〜15mm程度が好ましい。８mm未満であると、不要物受けトレー３の開口上端縁６を全周にわたって確実に隠すことができず、不要物が不要物受けトレー３外へ落ちるおそれがあり、15mmを越えると、内鍔部５の上面に不要物が多く堆積してしまうおそれがある。
【００１７】
そして、図４と図５に示すように、下方開口状の小動物収容体２の開口下端縁11は、内鍔部５の上面に載置され保持される。小動物収容体２の開口下端縁11と下部受け台１（内鍔部５）とは、図示省略する係止部材にて係止（保持）され、下部受け台１と連結され一体状となる。従って、小動物収容体２の上部を把持して下部受け台１と共に吊り下げ状とし、飼育ケース全体を搬送させることができる。
【００１８】
さらに、内鍔部５の上面には、網状の床板８が載置されている。床板８は例えばワイヤが格子状に組まれた平部材であり、床板８の外周形状は、小動物収容体２の開口下端縁11の内周形状よりも僅かに小さくされ、内鍔部５に床板８と小動物収容体２の開口下端縁11とが載置された状態となる。
つまり、内鍔部５は上面側において、小動物収容体２の載置用部材として機能すると共に床板８の載置用部材としても機能し、かつ、下面側の不要物受けトレー３に対しては、不要物が不要物受けトレー３の外方へ落下するのを防ぐ遮蔽部材として機能する。
なお、床板８の網形状は、ワイヤ等の線部材を格子状に組んだもの以外にも、平板に孔を多数あけて網状としたものも含む。
【００１９】
また、図２、図４、図５に示すように、下部受け台１の底部左右両側には、不要物受けトレー３の下面の左右両縁部９ａ，９ｂを下方から受けるガイド板10ａ，10ｂが設けられる。従って、下部受け台１は、左右方向の中間領域において底壁を省略した下方開口状とされている。
【００２０】
ガイド板10ａ，10ｂは、周壁４とは別体に成形された薄い板部材であり、周壁４の下部左右両側において接着、嵌合又は係止され固着される。ガイド板10ａ，10ｂは、前後方向を長手方向とする板部材であり、不要物受けトレー３のレール部材となる。
一対のガイド板10ａ，10ｂ間に形成される底開口部24の面積（欠損面積）は、２枚のガイド板10ａ，10ｂの合計面積よりも広く、下部受け台１の全（仮想）底面積の65％〜90％となるよう設定されている。
【００２１】
以上のように、本発明によれば、周壁４を有し上方開口状とされた下部受け台１と、下部受け台１の上に配設される下方開口状の小動物収容体２と、下部受け台１に引き出し可能に収納される上方開口状の不要物受けトレー３と、を備え、周壁４の内面の高さ方向途中部に内鍔部５が周壁４に沿って突設され、不要物受けトレー３の開口上端縁６が平面視において内鍔部５にて隠されているため、小動物の糞、抜け毛、餌等の不要物を、確実に不要物受けトレー３内に落下させることができ、不要物受けトレー３を引き出せば、清掃が極めて容易である。つまり、不要物を、トレー３の外へ落下させることが決してなく必ずトレー３に集めることができる。
【００２２】
また、下方開口状の小動物収容体２の開口下端縁11は、内鍔部５の上面に載置され保持されるため、別途、小動物収容体２の載置用の段付き部を形成する必要がなく、構成を簡素化させることができる。小動物収容体２の開口下端縁11が、内鍔部５に載置され外方から周壁４にて隠され、また、周壁４の外周面がきれいな鉛直状平滑面とできるため、外観がすっきりした良好なものとできる。
【００２３】
また、内鍔部５の上面は、内方へ向かって下傾する傾斜面７とされているため、不要物がスムーズに誘導落下し、内鍔部５の上面に不要物が滞留することがなく、衛生的である。
また、内鍔部５の上面には、網状の床板８が載置されているため、別途、床板８用の段付き部等を形成する必要がなく、構成を簡素化させることができる。
つまり、内鍔部５は、上面側において、小動物収容体２の載置用部材として機能すると共に床板８の載置用部材としても機能し、かつ、下面側の不要物受けトレー３に対しては、不要物が不要物受けトレー３の外方へ落下するのを防ぐ遮蔽部材として機能することができる。
【００２４】
また、下部受け台１の底部左右両側には、不要物受けトレー３の下面の左右両縁部９ａ，９ｂを下方から受けるガイド板10ａ，10ｂが設けられ、下部受け台１は、左右方向の中間領域において底壁を省略した下方開口状とされているため、下部受け台１を形成する材料（樹脂材料）の節約が可能でコストダウンも図れ、（従来の２重底に比較して）全体重量を軽減させることができ、飼育ケースの移動が容易となる。内鍔部５の存在により不要物を確実に不要物受けトレー３にて受けることができるため、下部受け台１において底壁を省略することができる。
【図面の簡単な説明】
【００２５】
【図１】本発明の小動物用飼育ケースの実施の一形態を示す斜視図である。
【図２】不要物受けトレーを取り除いた状態の小動物用飼育ケースの斜視図である。
【図３】不要物受けトレーが収納された状態にある下部受け台の平面図である。
【図４】小動物用飼育ケースの要部断面図である。
【図５】小動物用飼育ケースの他の実施の形態を示す要部断面図である。
【図６】小動物用飼育ケースの別の実施の形態を示す斜視図である。
【図７】従来の小動物用飼育ケースの要部断面図である。
【符号の説明】
【００２６】
１  下部受け台
２  小動物収容体
３  不要物受けトレー
４  周壁
５  内鍔部
６  開口上端縁
７  傾斜面
８  床板
９ａ  縁部
９ｂ  縁部
10ａ  ガイド板
10ｂ  ガイド板
11  開口下端縁
【図１】
2005295960.tif 000003
【図２】
2005295960.tif 000004
【図３】
2005295960.tif 000005
【図４】
2005295960.tif 000006
【図５】
2005295960.tif 000007
【図６】
2005295960.tif 000008
【図７】
2005295960.tif 000009